(57)【要約】【課題】一対の側板における基端部の突き合わせ端縁が離間するような口開き変形を防止できる関節金具を提供する。【解決手段】本発明は、一対の側板２１、３１の基端側に取付部２５、３５が設けられた第１及び第２金具部材２０、３０を具備し、両部材２０、３０の側板同士が重ね合わされて回転自在に連結されるラチェット金具等の関節金具を対象とする。側板２１、３１の基端部上側縁に対向片２１ｂ、３１ｂが設けられるとともに、両対向片２１ｂ、３１ｂの対向端縁２１ａ、３１ａが互いに突き合わされた状態に配置される。突き合わせ端縁のうち一方側端縁２１ａ、３１ａに嵌合凸部２２、３２等の係合部が設けられるとともに、他方側端縁２１ａ、３１ａに嵌合凹部２３、３３等の被係合部が設けられる。係合部が被係合部に、突き合わせ端縁２１ａ、３１ａが離間するのを防止する態様に係合される。【選択図】      図１
2006046433.tif 000002
【特許請求の範囲】
【請求項１】
一対の側板の基端側に取付部が設けられた第１及び第２金具部材を具備し、両金具部材の一対の側板同士が重ね合わされた状態で回転自在に連結される関節金具であって、
前記一対の側板における基端部の側縁に、互いに対向する対向片が設けられるとともに、両対向片の端縁が互いに突き合わされた状態に配置され、
前記対向片の突き合わせ端縁のうち一方側端縁に係合部が設けられるとともに、他方側端縁に前記係合部に対応して被係合部が設けられ、
前記係合部が前記被係合部に、突き合わせ端縁が離間するのを防止する態様に係合されてなることを特徴とする関節金具。
【発明の詳細な説明】
【技術分野】
【０００１】
この発明は、例えば座椅子や、車両シート等の回転連結部に採用されるラチェット金具等の関節金具に関する。
【背景技術】
【０００２】
図８に示すように、座椅子（１）の座フレーム（２）と背フレーム（３）との間にはラチェット金具（５）が設けられており、このラチェット金具（５）によって、背フレーム（３）が座フレーム（２）に対し起倒自在（回転自在）に構成されるとともに、背フレーム（１ａ）を起立方向に回転させた際に、段階的に所定の傾斜角度で固定できるよう構成されている（特許文献１、２等）。
【０００３】
図９に示すように、従来の座椅子（１）のラチェット金具（５）は、固定金具部材（６）と、回転金具部材（７）とを有している。金具部材（６）（７）は、一対の側板（６ａ）（７ａ）と、一対の側板（６ａ）（７ａ）の基端側に一体に設けられた円筒状の取付部（６ｂ）（７ｂ）とを備え、固定金具部材（６）の一対の側板（６ａ）（６ａ）間に、回転金具部材（７）の一対の側板（７ａ）（７ａ）が配置されて、各側板（６ａ）（７ａ）が回転軸（８）によって回転自在に連結されている。そして固定金具部材（６）の取付部（６ｂ）が座フレーム（２）の端部に固定されるとともに、回転金具部材（７）の取付部（７ｂ）が背フレーム（３）の端部に固定されるようにして、ラチェット金具（５）が座椅子（１）に組み付けられるものである。
【特許文献１】実公昭５９−２０１１８号公報
【特許文献２】実公昭５９−２０１１９号公報
【発明の開示】
【発明が解決しようとする課題】
【０００４】
上記従来のラチェット金具（５）は通常、プレス成形品によって構成されており、金属製板を所定の形状に打ち抜いた後、その打ち抜き板を曲げ加工して所定の形状に仕上げるものであり、例えば金具部材（６）（７）の一対の側板（６ａ）（７ａ）における基端部の上側縁には、内側に折曲されて互いに対向する対向片（６ｃ）（７ｃ）が設けられるとともに、両対向片（６ｃ）（７ｃ）の対向端縁（６ｄ）（７ｄ）が互いに突き合わされた状態に配置されている。
【０００５】
しかしながら、上記ラチェット金具（５）において、一対の側壁（６ａ）（７ａ）における対向端縁（６ｄ）（７ｄ）は単に、突き合わされただけの状態であるため、背フレーム（３）が座フレーム（２）に対し開く方向への回転が規制された状態で、背フレーム（３）に開き方向に荷重が加わった際に、図１０に示すように金具部材（６）（７）を外側に（開き方向Ｐに沿って）押し拡げるような力が作用する。この力が大きくなると場合によっては、側板基端部の突き合わせ端縁（６ｄ）（７ｄ）が離間して口開き変形部（９）が形成され、その変形により金具部材（６）（７）の強度が低下する恐れがある。
【０００６】
特に近年においては、座椅子の軽量化を目的として、金具部材形成用の板そのものの薄肉化が進められているため、成形板自体の強度が低く、上記の口開き変形が生じ易くなっている。
【０００７】
この発明は、上記従来技術の問題を解消し、一対の側板における基端部の突き合わせ端縁が離間するような口開き変形を防止できる関節金具を提供することを目的とする。
【課題を解決するための手段】
【０００８】
上記目的を達成するため、本発明は、以下の構成を要旨としている。
【０００９】
［１］  一対の側板の基端側に取付部が設けられた第１及び第２金具部材を具備し、両金具部材の一対の側板同士が重ね合わされた状態で回転自在に連結される関節金具であって、
前記一対の側板における基端部の側縁に、互いに対向する対向片が設けられるとともに、両対向片の端縁が互いに突き合わされた状態に配置され、
前記対向片の突き合わせ端縁のうち一方側端縁に係合部が設けられるとともに、他方側端縁に前記係合部に対応して被係合部が設けられ、
前記係合部が前記被係合部に、突き合わせ端縁が離間するのを防止する態様に係合されてなることを特徴とする関節金具。
【００１０】
また本発明は、以下の構成を好適に採用可能である。
【００１１】
［２］  前記金具部材は、金属板を曲げ加工することによって形成されてなる前項１に記載の関節金具。
【００１２】
［３］  前記係合部は、嵌合凸部により構成されるとともに、前記被係合部は、嵌合凹部によって構成されてなる前項１又は２に記載の関節金具。
【００１３】
［４］  前記嵌合凸部は、先端部が幅広に形成されるとともに、前記嵌合凹部は、底部が幅広に形成されてなる前項３に記載の関節金具。
【００１４】
［５］  前記嵌合凸部を前記嵌合凹部に嵌め込んだ際に、凹凸部周辺を加締めることにより、前記嵌合凸部の前記嵌合凹部に対する抜止めを図るものとした前項３又は４に記載の関節金具。
【００１５】
［６］  加締め前においては、前記嵌合凸部はその先端両側に加締め片が設けられており、その加締め片を加締めて前記嵌合凹部に適合配置させるものとした前項５に記載の関節金具。
【００１６】
［７］  前記第１金具部材は、固定金具部材により構成されるとともに、前記第２金具部材は、回転金具部材により構成されてなる前項１ないし６のいずれかに記載の関節金具。
【００１７】
［８］  前記固定金具部材は、前記一対の側板として、一対の外側板を有し、前記回転金具部材は、前記一対の側板として、一対の内側板を有し、
前記一対の外側板間に前記一対の内側板が配置されてなる前項７に記載の関節金具。
【００１８】
［９］  前記回転金具部材における一対の内側板に、ギヤ歯が設けられるとともに、前記金具部材の内部に前記ギヤ歯に対応して爪部材が設けられ、
前記回転金具部材が前記固定金具部材に対し一方向に回転するのは許容しつつ、他方向に回転するのは規制するように、前記爪部材が前記ギヤ歯に係脱するよう構成されてなる前項７又は８に記載の関節金具。
【００１９】
［１０］  前記金具部材の内部にカム部材が設けられ、
前記カム部材は、前記回転金具部材が前記固定金具部材に対し一方向に所定量以上回転した際には、前記回転金具部材の他方向への回転規制を解除するように前記爪部材を作動させるよう構成されてなる前項９に記載の関節金具。
【００２０】
［１１］  ラチェット金具として採用されてなる前項１ないし１０のいずれかに記載の関節金具。
【００２１】
［１２］  座フレームに対し背フレームが回転して起倒自在な座椅子であって、
前項１ないし１１に記載の関節金具における第１金具部材が、前記座フレームの端部に固定されるとともに、第２金具部材が、前記背フレームの端部に固定されてなることを特徴とする座椅子。
【００２２】
［１３］  金属板を打ち抜いて第１及び第２金具部材用打ち抜き板を得る打ち抜き工程と、
前記第１第２金具部材用打ち抜き板を曲げ加工することにより、一対の側板の基端側に取付部が設けられ、前記一対の側板における基端部の側縁に、互いに対向する対向片が設けられるとともに、両対向片の端縁が互いに突き合わされた状態に配置される第１及び第２金具部材を得る曲げ工程と、
前記第１及び第２金具部材の一対の側板同士を重ね合わせて回転自在に連結する組立工程とを含み、
前記曲げ加工を行う前に、突き合わせ端縁のうち一方側端縁に対応する位置に、係合部を形成するとともに、他方側端縁に対応する領域に被係合部を形成しておき、
前記曲げ加工時に、前記係合部を前記被係合部に、突き合わせ端縁が離間するのを防止する態様に係合させるものとした関節金具の製造方法。
【００２３】
［１４］  前記係合部及び前記被係合部の形成を、前記打ち抜き工程で行うものとした前項１３に記載の関節金具の製造方法。
【００２４】
［１５］  前記係合部を前記被係合部に係合した際に、その係合部周辺を加締めることによって、前記係合部を前記被係合部に対し係合させるものとした前項１３又は１４に記載の関節金具の製造方法。
【００２５】
［１６］  前記係合部は、嵌合凸部により構成されるとともに、前記被係合部は、嵌合凹部によって構成されてなる前項１３ないし１５のいずれかに記載の関節金具の製造方法。
【００２６】
［１７］  前記嵌合凸部の先端に加締め片が設けられ、前記嵌合凸部を前記嵌合凹部に嵌合した後、前記加締め片を加締めることにより、前記嵌合凸部を前記嵌合凹部に適合状態に嵌合して抜止めを図るものとした前項１６に記載の関節金具の製造方法。
【発明の効果】
【００２７】
本発明によれば、金具部材の一対の側板における基端部側縁の対向端縁を係合させて突き合わせ状態に維持するようにしているため、金具部材に無理な力が加わったとしても、突き合わせ端縁が離間するような有害な口開き変形を防止することができる。
【発明を実施するための最良の形態】
【００２８】
図１ないし図３はこの発明の実施形態である座椅子のラチェット金具周辺を示す図である。これらの図に示すように、この実施形態の座椅子においては、金属パイプ製の座フレーム（２）の後端部と、金属パイプ製の背フレーム（３）の下端部（基端部）との間に、関節金具としてラチェット金具（１０）が設けられている。
【００２９】
ラチェット金具（１０）は、座フレーム（２）側に固定される固定金具部材（２０）と、背フレーム（３）側に固定される回転金具部材（３０）とを有している。
【００３０】
固定金具部材（２０）は、離間状態で平行に配置された一対の外側板（２１）（２１）と、一対の外側板（２１）（２１）の基端側に連設された円筒状の取付部（２５）とを備えている。
【００３１】
一対の外側板（２１）（２１）は、その基端部の上側縁が内側にそれぞれ折曲されて互いに対向する対向片（２１ｂ）（２１ｂ）が設けられるとともに、両対向片（２１ｂ）（２１ｂ）の対向端縁（２１ａ）（２１ａ）が、互いに突き合わされた状態に配置されている。更に取付部（２５）は、その上側の対向する端縁（２５ａ）（２５ａ）が互いに突き合わされた状態に配置されている。
【００３２】
この固定金具部材（２０）は、金属板の曲げ成形品をもって構成されている。すなわち金属製の平坦板を打ち抜いて、図４に示すように打ち抜き板（１２０）を形成する。この打ち抜き板（１２０）は、外側板（２１）（２１）に対応する領域（１２１）（１２１）と、その外側板領域（１２１）（１２１）の基端部間に設けられた連設部（１２２）と、連設部（１２２）の基端側に連設され、かつ取付部（２５）に対応する領域（１２５）とを備えている。更に外側板領域（１２１）（１２１）の外側縁部には、上記対向片（２１ｂ）（２１ｂ）に対応する領域（１２１ｂ）（１２１ｂ）が設けられている。なお対向片領域（１２１ｂ）（１２１ｂ）の端縁が、上記突き合わせ端縁（２１ａ）（２１ａ）に相当するとともに、取付部領域（１２５）の両側縁が、上記突き合わせ端縁（２５ａ）（２５ａ）に相当するものである。
【００３３】
そしてこの打ち抜き板（１２０）を曲げ加工して、連設部（１２２）の両側位置で外側板領域（１２１）（１２１）を上側に折曲して平行に配置するとともに、対向片領域（１２１ｂ）（１２１ｂ）を内側に折曲して、互いの端縁（２１ａ）（２１ａ）を突き合わせた状態に配置する。更に取付部領域（１２５）をその端縁（２５ａ）（２５ａ）を突き合わせるように円筒状に成形する。これにより上記構成の固定金具部材（２０）が形成されるものである。
【００３４】
また本実施形態において、一対の外側板（２１）（２１）の突き合わせ端縁のうち一方側端縁（２１ａ）には、係合部としての嵌合凸部（２２）が形成されるとともに、他方側端縁（２１ａ）には、嵌合凸部（２２）に対応して被係合部としての嵌合凹部（２３）が形成されている。
【００３５】
図７に示すように、嵌合凸部（２２）は、先端部が幅広な先太形状（鳩の尾状）に形成されるとともに、嵌合凹部（２３）は、底部が幅広な底広形状（鳩の尾状）に形成されており、凹部（２３）内に凸部（２２）が抜止め状態に嵌合されて、突き合わせ端縁（２１ａ）（２１ａ）が離間するのを防止できるよう構成されている。
【００３６】
ここで本実施形態において、打ち抜き板（１２０）を（２１）の曲げ加工する際に、嵌合凸部（２２）を嵌合凹部（２３）に嵌合することによって、凸部（２２）を凹部（２３）に抜止め状態に配置するものである。すなわち凸部（２２）を凹部（２３）に嵌合する前、例えば図６に示すように打ち抜き直後の打ち抜き板（１２０）において、嵌合凹部（２３）は底広形状に形成されるのに対し、嵌合凸部（２２）は、幅が一定の帯板形状に形成されて、先端両側に加締め片（２２ａ）（２２ａ）が形成されている。そしてこの打ち抜き板（１２０）を曲げ加工して、嵌合凸部（２２）を嵌合凹部（２３）に所定量嵌合した後更に、図７に示すように、嵌合凸部（２２）を嵌合凹部（２３）に嵌め込む方向に加圧することにより、凸部先端の両側加締め片（２２ａ）（２２ａ）を、凹部（２３）の両側部に沿わせるように加締める。これにより、凸部（２２）を凹部（２３）に適合する形状に塑性変形させて、嵌合凸部（２２）を嵌合凹部（２３）に抜止め状態に適合配置するものである。
【００３７】
一方図１ないし図３に示すように、回転金具部材（３０）は、離間状態で平行に配置された一対の内側板（３１）（３１）と、一対の内側板（３１）（３１）の基端側に連設された円筒状の取付部（２５）とを備えている。
【００３８】
一対の内側板（３１）（３１）は、その基端部の上側縁が内側にそれぞれ折曲されて互いに対向する対向片（３１ｂ）（３１ｂ）が設けられるとともに、両対向片（３１ｂ）（３１ｂ）の対向端縁（３１ａ）（３１ａ）が、互いに突き合わされた状態に配置されている。更に取付部（３５）は、その上側の対向する端縁（３５ａ）（３５ａ）が互いに突き合わされた状態に配置されている。
【００３９】
この回転金具部材（３０）は、上記固定金具部材（２０）と同様、金属板の曲げ成形品をもって構成されている。すなわち金属製の平坦板を打ち抜いて、図５に示すように打ち抜き板（１３０）を形成する。この打ち抜き板（１３０）は、内側板（３１）（３１）に対応する領域（１３１）（１３１）と、その内側板領域（１３１）（１３１）の基端部間に設けられた連設部（１３２）と、連設部（１３２）の基端側に連設され、かつ取付部（３５）に対応する領域（１３５）とを備えている。更に内側板領域（１３１）（１３１）の外側縁には、上記対向片（３１ｂ）（３１ｂ）に対応する領域（１３１ｂ）（１３１ｂ）が設けられている。なお対向片領域（１３１ｂ）（１３１ｂ）の端縁が、上記突き合わせ端縁（３１ａ）（３１ａ））に相当するとともに、取付部領域（１３５）の両側縁が、上記突き合わせ端縁（３５ａ）（３５ａ）に相当するものである。また内側板領域（１３１）（１３１）には、ギヤ歯（３４）（３４）が形成されている。
【００４０】
そしてこの打ち抜き板（１３０）を曲げ加工して、連設部（１３２）の両側位置で内側板領域（１３１）（１３１）を上側に折曲して平行に配置するとともに、対向片領域（１３１ｂ）（１３１ｂ）を内側に折曲して、互いの端縁（３１ａ）（３１ａ）を突き合わせ状態に配置する。更に取付部領域（１３５）をその端縁（３５ａ）（３５ａ）を突き合わせるように円筒状に成形する。これにより上記構成の回転金具部材（３０）が形成されるものである。
【００４１】
また一対の内側板（３１）（３１）の突き合わせ端縁のうち一方側端縁（３１ａ）には、係合部としての嵌合凸部（３２）が形成されるとともに、他方側端縁（３１ａ）には、嵌合凸部（３２）に対応して被係合部としての嵌合凹部（３３）が形成されている。
【００４２】
図７の括弧付き符号に示すように、嵌合凸部（３２）は、先端部が幅広な先太形状（鳩の尾状）に形成されるとともに、嵌合凹部（３３）は、底部が幅広な底広形状（鳩の尾状）に形成されており、凹部（３３）内に凸部（３２）が抜止め状態に嵌合されて、突き合わせ端縁（３１ａ）（３１ａ）が離間するのを防止できるよう構成されている。
【００４３】
なお嵌合凸部（３２）は、上記同様に曲げ加工時に加締め処理を施すものである。すなわち図６の括弧付き符号に示すように打ち抜き直後の打ち抜き板（１３０）は、嵌合凹部（３３）は底広形状に形成されるのに対し、嵌合凸部（３２）は、幅が一定の帯板形状に形成されて、先端両側に加締め片（３２ａ）（３２ａ）が形成されている。そしてこの打ち抜き板（１３０）を曲げ加工して、凸部（３２）を凹部（３３）に所定量嵌合した後更に、図７の括弧付き符号に示すように、凸部（３２）を凹部（３３）に嵌め込む方向に加圧することにより、凸部先端の両側加締め片（３２ａ）（３２ａ）を、凹部（３３）の両側部に沿って加締める。これにより、凸部（３２）を凹部（３３）に適合する形状に塑性変形させて、凸部（３２）を凹部（３３）に抜止め状態に適合配置するものである。
【００４４】
上記構成の回転金具部材（３０）が、固定金具部材（２０）に回転自在に取り付けられる。すなわち固定金具部材（２０）の一対の外側板（２１）（２１）間に、回転金具部材（３０）の一対の内側板（３１）（３１）が配置されて、一方側の側面から回転軸（１１）が各側板（２１）（３１）に挿通配置されることにより、回転金具部材（３０）が固定金具部材（２０）に対し回転軸（１１）を介して回転自在に取り付けられる。
【００４５】
なお図２に示すように、固定金具部材（２０）の内部には、爪部材（１２）及びカム部材（１３）等が収容されている。
【００４６】
爪部材（１２）は、回転金具部材（３０）が固定金具部材（２０）に対し開く方向に回転しようとした際には、回転金具部材（３０）のギヤ歯（３４）に係合して同方向の回転を規制するとともに、回転金具部材（３０）が固定金具部材（２０）に対し閉じる方向に回転しようとした際には、ギヤ歯（３４）への係合が解除されて同方向の回転を許容するよう構成されている。
【００４７】
またカム部材（１３）は、回転金具部材（３０）が固定金具部材（２０）に所定の角度まで閉じた状態から全開状態までの間、爪部材（１２）のギヤ歯（３４）への係合を解除して、回転金具部材（３０）の開き方向への回転を許容するよう構成されている。
【００４８】
なお本明細書においては、回転金具部材（３０）や背フレーム（３）において、開き方向や起立方向は、図３の紙面に向かって反時計回り方向に対応し、閉じ方向や倒し方向は、図３の時計回り方向に対応するものである。
【００４９】
以上の構成のラチェット金具（１０）は、その固定金具部材（２０）の取付部（２５）が座フレーム（２）の端部に挿入されて固定されるとともに、回転金具部材（３０）の取付部（３５）が背フレーム（３）の端部に挿入されて固定される。そして背フレーム（３）を座フレーム（２）に対し倒した状態（開いた状態）から、背フレーム（３）を起立させる方向（閉じる方向）に回転させる際には、段階的に背フレーム（３）を傾斜姿勢に固定できるよう構成されている。更に背フレーム（３）を所定の角度まで閉じた後は、背フレーム（３）を倒伏する方向（開く方向）に回転できるよう構成されている。
【００５０】
以上の構成のラチェット金具（１０）によれば、金具部材（２０）（３０）の側板基端部における突き合わせ端縁のうち、一方側端縁（２１ａ）（３１ａ）に嵌合凸部（２２）を形成するとともに、他方側端縁（２１ａ）（３１ａ）に嵌合凹部（２３）を形成し、凸部（２２）を凹部（２３）に抜止め状に係合させるものであるため、例えば背フレーム（３）が開き方向の回転が規制された状態で同方向に大きい荷重が加わったとしても、突き合わせ端縁（２１ａ）（３１ａ）が離間するように口開き変形するのを防止でき、その変形による強度低下を防止することができる。
【００５１】
特に座椅子の軽量化を図るために、金具部材（２０）（３０）の構成板として薄いものを使用した場合であっても、金具部材（２０）（３０）の突き合わせ端縁（２１ａ）（３１ａ）が離間するのを確実に防止できるので、十分な強度を確実に維持しつつ、軽量化に確実に対処することができる。
【００５２】
また凸部（２２）（３２）及び凹部（２３）（３３）の嵌合によって、金具部材（２０）（３０）の突き合わせ端縁（２１ａ）（３１ａ）を確実に突き合わせた状態に維持することができるため、形状が安定し、より一層強度を向上させることができる。
【００５３】
なお上記実施形態においては、本発明を座椅子に適用した場合を例に挙げて説明したが、それだけに限られず、本発明は車両等のリクライニングシートの関節金具や、フットレストの関節金具、椅子の揺動式肘掛けの関節金具等にも適用することができ、更にはキッチンや書斎等に適用される回転引出式の可動収納棚の関節金具等にも適用することができる。
【００５４】
また上記実施形態においては、固定金具部材（２０）及び回転金具部材（３０）の双方に、嵌合凸部（２２）（３２）及び嵌合凹部（２３）（３３）を形成するようにしているが、それだけに限られず、本発明においては、固定金具部材及び回転金具部材（３０）の少なくともいずれか一方に、凸部及び凹部等の係合部及び被係合部を形成するようにしても良い。
【００５５】
更に上記実施形態においては、固定金具部材及び回転金具部材の上側縁に突き合わせ端縁が配置されるものを例に挙げて説明しているが、それだけに限られず、本発明は、固定金具部材及び回転金具部材の下側縁に突き合わせ端縁が配置されるものにも、上記と同様に適用することができる。
【００５６】
また上記実施形態においては、嵌合凸部を嵌合凹部に嵌め込んだ後、加締め処理を施して抜止めを図るようにしているが、それだけに限られず、本発明においては、先太の嵌合凸部を、底広の嵌合凹部に嵌合方向に対し直交する方向（実施形態では上下方向）から嵌め込むことにより、嵌合凸部の抜止めを図るように構成しても良い。
【図面の簡単な説明】
【００５７】
【図１】この発明の実施形態である座椅子のラチェット金具周辺を示す斜視図である。
【図２】実施形態のラチェット金具を示す平面図である。
【図３】実施形態のラチェット金具を示す側面図である。
【図４】実施形態のラチェット金具に適用された固定金具部材の展開図である。
【図５】実施形態のラチェット金具に適用された回転金具部材の展開図である。
【図６】実施形態の金具部材における突き合わせ端縁の嵌合部周辺を加締め前の状態示す平面図である。
【図７】実施形態の金具部材における突き合わせ端縁の嵌合部周辺を加締め後の状態で示す平面図である。
【図８】従来の座椅子を示す斜視図である。
【図９】図８の一点鎖線に囲まれた部分の拡大図に相当するものであって、従来の座椅子のラチェット金具周辺を示す斜視図である。
【図１０】口開き変形が生じた従来のラチェット金具を示す斜視図である。
【符号の説明】
【００５８】
２…座フレーム
３…背フレーム
１０…ラチェット金具（関節金具）
２０…固定金具部材
２１…外側板
２１ａ…端縁（突き合わせ端縁）
２１ｂ…対向片
２２…嵌合凸部（係合部）
２３…嵌合凹部（被係合部）
２５…取付部
３０…回転金具部材
３１…内側板
３１ａ…端縁（突き合わせ端縁）
３１ｂ…対向片
３２…嵌合凸部（係合部）
３３…嵌合凹部（被係合部）
３５…取付部
【図１】
2006046433.tif 000003
【図２】
2006046433.tif 000004
【図３】
2006046433.tif 000005
【図４】
2006046433.tif 000006
【図５】
2006046433.tif 000007
【図６】
2006046433.tif 000008
【図７】
2006046433.tif 000009
【図９】
2006046433.tif 000010
【図１０】
2006046433.tif 000011
【図８】
2006046433.tif 000012